(57)【特許請求の範囲】
【請求項１】
膨張可能なシステムであって、
（ａ）膨張可能な構成要素と、
（ｂ）前記膨張可能な構成要素内に配設されて膨張ガスを発生する装薬と、
（ｃ）前記膨張可能な構成要素内の前記装薬を囲繞するシースと、
（ｄ）前記装薬と接触して該装薬を点火するイニシエータと、
（ｅ）前記イニシエータに電気的に接続され、前記膨張可能な構成要素の展開を開始するアクティベータとを備え、
前記イニシエータは、前記アクティベータからの信号に応じて前記装薬を点火し、て膨張ガスを発生させ、もって前記膨張可能な構成要素を膨張させ、
又、前記装薬は点火材料を含んで成り、該点火材料は中心コアを形成すると共に、その形状が線形であることを特徴とする膨張可能なシステム。
【請求項２】
前記装薬は、ガスの発生量を増加させるために追加のガス発生材料を有する請求項１に記載の膨張可能なシステム。
【請求項３】
前記装薬の表面に補助用のガス発生材料の層が設けられた請求項１に記載の膨張可能なシステム。
【請求項４】
前記補助用のガス発生材料の層は揮発性の化学物質を含む請求項３に記載の膨張可能なシステム。
【請求項５】
前記シースも又ガス発生材料を備える請求項１に記載の膨張可能なシステム。
【請求項６】
前記装薬は、ヒドロボラート燃料（ｈｙｄｒｏｂｏｒａｔｅ ｆｕｅｌ）及びニトレート酸化剤（ｎｉｔｒａｔｅ ｏｘｉｄｉｚｅｒｓ）を含む請求項１に記載の膨張可能なシステム。
【請求項７】
前記装薬は二次的な火薬を含む請求項１に記載の膨張可能なシステム。
【請求項８】
膨張可能なシステムであって、
（ａ）膨張可能な構成要素と、
（ｂ）前記膨張可能な構成要素内に配置された装薬と、
（ｃ）アクティベータに電気的に接触するイニシエータとを備え、該アクティベータから送られてくる信号に応じて該イニシエータが点火すると、前記装薬が発火して膨張ガスが発生し、もって前記膨張可能な構成要素が膨張するように、イニシエータが位置決めされ、
又、前記装薬は点火材料を含んで成り、該点火材料は中心コアを形成すると共に、その形状が線形であることを特徴とする膨張可能なシステム。
【請求項９】
前記装薬は少なくとも２つの材料の混合物である請求項８に記載の膨張可能なシステム。
【請求項１０】
前記２つの材料の１つは、デカヒドロデカーボニック酸（ｄｅｃａｈｙｄｒｏｄｅｃａｂｏｒｉｃ ａｃｉｄ）のアンモニウム塩（ａｍｍｏｎｉｕｍ ｓａｌｔ）、グアディニウム塩（ｇｕａｄｉｎｉｕｍ ｓａｌｔ）又はトリアミノグアディニウム塩（ｔｒｉａｍｉｎｏｇｕａｄｉｎｉｕｍ ｓａｌｔ）の何れかである請求項９に記載の膨張可能なシステム。
【請求項１１】
前記材料の１つは硝酸カリウムである請求項９に記載の膨張可能なシステム。
【請求項１２】
前記装薬は、アルカリ金属アジド（ａｌｋａｌｉ  ｍｅｔａｌ  ａｚｉｄｅｓ）、ポリマーバインダーが添加された有機アジド（ｏｒｇａｎｉｃ  ａｚｉｄｅｓ）及び酸化剤の内の少なくとも二つを含む請求項８に記載の膨張可能なシステム。
【請求項１３】
前記イニシエータは電子式の起爆管を備える請求項８に記載の膨張可能なシステム。
【請求項１４】
膨張可能なシステムであって、
（ａ）膨張可能な構成要素と、
（ｂ）前記膨張可能な構成要素を膨張させる膨張ガスを発生する装薬と、
（ｃ）前記装薬に接続して該装薬を点火するイニシエータと、
（ｄ）前記イニシエータに電気的に接続されたアクティベータとを備え、
前記膨張可能な構成要素はエアーバッグを含み、該エアーバッグはその内面が複数のセクションに区分けされ、
前記装薬は複数の薄片状装薬と複数の細長い装薬とを有し、該薄片状装薬は前記エアバッグの前記セクションに夫々取り付けられ、前記細長い装薬は該薄片状装薬と前記イニシエータとを接続し、
該アクティベータから送られてくる信号に応じて該イニシエータが作動すると、前記装薬が点火して膨張ガスを発生し、前記膨張可能な構成要素を膨張させることを特徴とする膨張可能なシステム。
【請求項１５】
前記イニシエータは独立した複数のイニシエータから成り、該複数のイニシエータは前記複数の薄片状装薬に前記複数の細長い装薬によって夫々接続された請求項１４に記載の膨張可能なシステム。
【請求項１６】
前記複数の細長い装薬は燃焼速度が夫々異なり、もって前記複数の薄片状装薬が連続的に点火するようにした請求項１４又は１５に記載の膨張可能なシステム。
【請求項１７】
膨張可能なシステムであって、
（ａ）膨張可能な構成要素と、
（ｂ）前記膨張可能な構成要素内に配設されて膨張ガスを発生する装薬と、
（ｃ）前記装薬の周囲に配置されて追加のガスを発生する追加のガス発生材料の層と、
（ｄ）前記膨張可能な構成要素内に配置された前記追加のガス発生材料の層と前記装薬を囲繞するシースと、
（ｅ）前記装薬に接触して該装薬を点火するイニシエータと、
（ｆ）前記イニシエータに電気的に接続され、前記膨張可能な構成要素の展開を開始する始動装置とを備え、
前記イニシエータは前記アクティベータからの信号に応じて前記装薬を点火して膨張ガスを発生させ、もって前記膨張可能な構成要素を膨張させ、
又、前記装薬は点火材料を含んで成り、該点火材料は中心コアを形成すると共に、その形状が線形であることを特徴とする膨張可能なシステム。
【請求項１８】
前記装薬は、デカヒドロデカーボニック酸（ｄｅｃａｈｙｄｒｏｄｅｃａｂｏｒｉｃ ａｃｉｄ）のアンモニウム塩（ａｍｍｏｎｉｕｍ ｓａｌｔ）、グアディニウム塩（ｇｕａｄｉｎｉｕｍ ｓａｌｔ）及びトリアミノグアディニウム塩（ｔｒｉａｍｉｎｏｇｕａｄｉｎｉｕｍ ｓａｌｔ）の内の少なくとも１つを含む請求項１７に記載の膨張可能なシステム。
【請求項１９】
前記装薬は、アジ化ナトリウム（ｓｏｄｉｕｍ ａｚｉｄｅ）、硝酸カリウム（ｐｏｔａｓｓｉｕｍ ｎｉｔｒａｔｅ）及びマグネシウム（ｍａｇｎｅｓｉｕｍ）の内の少なくとも１つを更に含む請求項１８に記載の膨張可能なシステム。
【請求項２０】
前記装薬はポリマーバインダー（ｐｏｌｙｍｅｒ ｂｉｎｄｅｒ）を含む請求項１７に記載の膨張可能なシステム。
【請求項２１】
前記ポリマーバインダー（ｐｏｌｙｍｅｒ ｂｉｎｄｅｒ）は、フルオロエラストマー（ｆｌｕｏｒｏｅｌａｓｔｏｍｅｒｓ）、架橋ポリブタジエンゴム（ｃｒｏｓｓｌｉｎｋｅｄ ｐｏｌｙｂｕｔａｄｉｅｎｅ ｒｕｂｂｅｒ）、架橋ポリアクリルゴム（ｃｒｏｓｓｌｉｎｋｅｄ ｐｏｌｙａｃｒｙｌｉｃ ｒｕｂｂｅｒ）、架橋ポリウレタンエラストマー（ｃｒｏｓｓｌｉｎｋｅｄ ｐｏｌｙｕｒｅｔｈａｎｅ ｅｌａｓｔｏｍｅｒｓ）又はポリビニルアルコール（ｐｏｌｙｖｉｎｙｌ ａｌｃｏｈｏｌ）／ポリ酢酸ビニル（ｐｏｌｙｖｉｎｙｌ ａｃｅｔａｔｅ）の何れかである請求項２０に記載の膨張可能なシステム。
【請求項２２】
前記装薬は高エネルギーガス発生ポリマーを含む請求項１７に記載の膨張可能なシステム。
【請求項２３】
前記高エネルギーガス発生ポリマーは、グリシジルニトレートポリマー（ｇｌｙｃｉｄｙｌ ｎｉｔｒａｔｅ ｐｏｌｙｍｅｒｓ）、グリシジルアジドポリマー（ｇｌｙｃｉｄｙｌ ａｚｉｄｅ ｐｏｌｙｍｅｒ）、ポリテトラゾール（ｐｏｌｙｔｅｔｒａｚｏｌｅｓ）、ポリトリアゾール（ｐｏｌｙｔｒｉａｚｏｌｅｓ）、ニトロセルロース（ｎｉｔｒｏｃｅｌｌｕｌｏｓｅ）、ジニトロポリスチレン（ｄｉｎｉｔｒｏｐｏｌｙｓｔｙｒｅｎｅ）、ニトロ化されたポリブタジエン（ｎｉｔｒａｔｅｄ ｐｏｌｙｂｕｔａｄｉｅｎｅｓ）又はニトロ化されたポリエーテル（ｎｉｔｒａｔｅｄ ｐｏｌｙｅｔｈｅｒｓ）の何れかである請求項２２に記載の膨張可能なシステム。
【請求項２４】
前記装薬は高エネルギー推進剤を含む請求項１７に記載の膨張可能なシステム。
【請求項２５】
前記高エネルギー推進剤は、ブタントリオールトリニトレート（ｂｕｔａｎｅｔｒｉｏｌ ｔｒｉｎｉｔｒａｔｅ）、ペンタエリトリトールテトラニトラート（ｐｅｎｔａｅｒｙｔｈｒｉｔｏｌ ｔｅｔｒａｎｉｔｒａｔｅ）、シクロトリメチレントリニトラミン（ｃｙｃｌｏｔｒｉｍｅｔｈｙｌｅｎｅ ｔｒｉｎｉｔｒａｍｉｎｅ）、シクロテトラメチレンテトラニトラマイン（ｃｙｃｌｏｔｅｔｒａｍｅｔｈｙｌｅｎｅ ｔｅｔｒａｎｉｔｒａｍｉｎｅ）、メトリオールトリニトレート（ｍｅｔｒｉｏｌ ｔｒｉｎｉｔｒａｔｅ）、トリニトロトルエン（ｔｒｉｎｉｔｒｏｔｏｌｕｅｎｅ）、又はニトログリセリン（ｎｉｔｒｏｇｌｙｃｅｒｉｎｅ）の何れかである請求項２４に記載の膨張可能なシステム。
【請求項２６】
前記高エネルギー推進剤はヘキサニトロスチルベン（ｈｅｘａｎｉｔｒｏｓｔｉｌｂｅｎｅ）又はジビクラアミド（ｄｉｐｉｃｒａｍｉｄ）の何れかである請求項２４に記載の膨張可能なシステム。
【請求項２７】
前記高エネルギー推進剤は、金属と無機酸化剤（ｉｎｏｒｇａｎｉｃ ｏｘｉｄｉｚｅｒ）の混合物である請求項２４に記載の膨張可能なシステム。
【発明の詳細な説明】
この出願は、１９９７年９月８日に出願された仮特許出願シリアルＮｏ．６０／０５８，２０２の出願日の利益を主張するものである。
背景
発明の分野
本願発明は、概ね、膨張可能なシステム用の固体燃料ガス発生装置の分野に関し、特に、膨張可能な拘束システムで使用される固体燃料ガス発生装置に関する。
発明の背景
従来の膨張可能なシステムは、典型的に、（電子式の起爆管のような）イニシエータ（ｉｎｉｔｉａｔｏｒ：例えば、反応を起こさせるもの）と、（ホウ素硝酸カリウム（ｂｏｒｏｎ  ｐｏｔａｓｓｉｕｍ  ｎｉｔｒａｔｅ）のような）ブースター材料（ｂｏｏｓｔｅｒ  ｍａｔｅｒｉａｌ）とを備えており、これによって、ウェーハ、ディスク、ペレット又は小粒に形成された（アジ化ナトリウム（ｓｏｄｉｕｍ  ａｚｉｄｅ）、硝酸カリウム（ｐｏｔａｓｓｉｕｍ  ｎｉｔｒａｔｅ）又は硝酸アンモニウム（ａｍｍｏｎｉｕｍ  ｎｉｔｒａｔｅ）及びバインダー（結合剤）のような）周囲のより大量のガス発生推進剤を点火することができるようになっている。ガス発生推進剤は、一次的な手段として機能する。前記一次的な手段によって、十分なガスが生成され、膨張可能なシステムを展開させる。前記イニシエータ、前記ブースター材料及び前記周囲のガス発生推進剤は、典型的に、全て、金属製の構造体又はアセンブリ内に閉じこめられており、その全体が、「ガス発生器（ｇａｓ  ｇｅｎｅｒａｔｏｒ）」を形成している。前記ガス発生器は、（乗用車のエアーバッグのような）膨張可能な構成要素のために膨張ガスを生成する。
ガス発生アセンブリは、典型的に、１またはそれ以上のセットの内部フィルターはもちろん、１またはそれ以上の内部チャンバ又は内部バッフルを含んでいる。それらは、（ａ）ガス発生推進剤の燃焼率とガス流量とを制御し、（ｂ）前記ガス発生材料の燃焼によって生成されたガス温度を減少させ、（ｃ）ガスが、前記アセンブリの通気孔を通ってエアーバッグそれ自身の中に流入する前に、加速された粒子を濾過して取り除くことができるように設計されている。
前記ガス発生器は、典型的に、前記膨張可能な構成要素（例えば、エアーバッグ）それ自身の外側の位置に設けられている。また、前記ガス発生器は、導管によって膨張可能な構成要素に取り付けられている。前記発生したガスは、前記導管を通して、前記膨張可能な構成要素内に流入する。これによって、前記膨張可能な構成要素は、展開できるようになっている。
そのような従来技術のシステムは、例えば、米国特許第５，７３８，３７４号に開示されている（シリコーンバインダーを備えた、過塩素酸アンモニウム（ａｍｍｏｎｉｕｍ  ｐｅｒｃｈｌｏｒａｔｅ）及び硝酸ナトリウム（ｓｏｄｉｕｍ  ｎｉｔｒａｔｅ）の混合物からなる環状の装薬（ｃｈａｒｇｅ）を使用する、エアーバッグ用の発火式ガス発生器）；米国特許第５，６２３，１１５号（ユニット式の微量の点火材料を点火することができるように設けられた起爆管を備えた、ユニット式の微量の点火材料を封入する発熱性点火器を有するガス発生器）；米国特許第５，４８３，８９６号（異物を閉じ込めるフィルターとして機能し且つ発生したガスから熱を吸収することによって冷却器として機能する発火式インフレータ用のハウジング）；米国特許第５，４４３，２８６号（スクリーンを濾過し冷却することによって囲まれたガス発生カートリッジ）；米国特許第４，２００，６１５号（細長い囲い内で長手方向に伸長する発火材料及び線形の点火器（イグナイタ））；米国特許第４，９５０，４５８号（各ステージが、点火器を備えた燃焼室を有する２ステージガス発生器）；及び米国特許第４，９２３，２１２号（機械的な部品、フィルター、推進剤アセンブリ及びイニシエータを含む６つの構成要素部品からなる軽量の発火式インフレータ）に開示されている。
ハイブリッドインフレータが、以下の米国特許に開示されている。米国特許第５，６７０，７３８号（イニシエータと発火式ガス発生器とを一緒に備えた、圧縮されたガスを使用するハイブリッドインフレータ）；米国特許第５，６６０，４１２号（発火性材料からなる主装薬と発火性材料からなる副装薬とを含む圧力容器を備えたハイブリッドインフレータ。前記副装薬は、前記主装薬を点火する燃焼生成物を生成する。）；米国特許第５，５８８，６７６号（発火式ガス発生器及び加圧されたガスを貯蔵するガスチャンバを備えたハイブリッドインフレータ）；米国特許第５，４６２，３０７号（圧縮されたガスを含む第１のチャンバと、点火器及び発火性材料を含む第２のチャンバと、を備えたハイブリッドエアーバッグインフレータ）；米国特許第５，１３１，６８０号（発火性材料と、圧力下にあるガスの容器とを有するインフレータアセンブリ）。前記米国特許に開示されたインフレータのようなハイブリッドインフレータは、また、前記膨張可能な構成要素（例えば、エアーバッグ）それ自身から完全に別体とされ且つ前記膨張可能な構成要素の外側に設けられたガス発生ユニットを使用している。
本願発明を用いて膨張させることができる膨張可能な構成要素の例は、米国特許第５，２８２，６４８号（身体及び頭部拘束装置）；米国特許第５，３２２，３２２号（側面衝突による頭部打撃保護装置）；米国特許第５，４８０，１８１号（側面衝突による頭部打撃保護装置）；及び米国特許第５，４６４，２４６号（管状の衝撃緩和装置）に開示されている。前記米国特許は、全て、自動車のエアーバッグ及び他の膨張可能な製品と共に、当該米国特許を参照することによって本願明細書に組み込まれている。
発明の概要
本願発明は、インフレータシステムに関する。前記インフレータシステムは、膨張可能な拘束システム、膨張可能な浮場システム、または受動的に膨張可能な安全システムのような幅広い種類の膨張可能なシステムと関連して使用できる。前記インフレータは、速燃性の推進剤を使用している。前記速燃性の推進剤は、前記膨張可能な構成要素それ自身の内に分散されており、これによって、前記システムを膨張させるガスを発生させることができるようになっている。本願発明は、概ね、分散されたガス発生材料を備えている。前記分散されたガス発生材料は、補助推進剤によって囲まれた、より速燃性の高い中心コア点火材料を備えることができる。または、本願発明は、点火材料と推進剤とからなる均質な混合物を使用している。本願発明は、また、イニシエータ（例えば、電子式起爆管）を備えている。前記イニシエータを使用することにより、起爆装置からの信号によって、ガス発生材料を点火することができる。本願発明の好適な実施例においては、周囲環境に対して封止されるシースを使用して、封入された材料を汚染状態から保護することができ、及び／又は、推進剤及び点火材料の燃焼率及び燃焼効率を改善することができる。
前記速燃性のガス発生材料すなわち「分散された装薬（ｄｉｓｔｒｉｂｕｔｅｄ  ｃｈａｒｇｅ）」は、展開されていない膨張可能な構成要素（例えば、エアーバッグ）それ自身内に取り付けることができるように設計されており、また、展開されていない膨張可能な構成要素（例えば、エアーバッグ）それ自身の内部に沿って分散（換言すれば、分布又は分配）することができるように設計されている。前記分散された装薬（換言すれば、分布された装薬又は分配された装薬）のインフレータ（ｄｉｓｔｒｉｂｕｔｅｄ  ｃｈａｒｇｅ  ｉｎｆｌａｔｏｒ：ＤＣＩ）を、任意のタイプの外部ハウジング又は外部アセンブリ内に入れる必要はない。本願発明は、上述した従来のシステムよりも簡単且つ安価に製造することができる。というのは、本願発明は、上述した従来技術のシステムによって要求される複雑な一連のチャンバ、バッフル、又はフィルターを必要としないからである。
前記インフレータは、典型的に、電子センサーによって（例えば、前記膨張可能な構成要素が、衝突の場合に展開しなければならないエアーバッグや他の安全装置の場合、電子式衝突センサーによって）作動させられる。しかしながら、前記インフレータは、また、例えば、別のタイプの自動式の装置によって、作動させることができる。あるいは、前記インフレータは、ボタン、スイッチ又はハンドルのような機械的な装置によって作動させることができる。ユーザーが、前記ボタンを押すことによって、前記膨張可能な構成要素を展開させることができる。また、ユーザーが、前記スイッチを切り替えることによって、前記膨張可能な構成要素を展開させることができる。ユーザーが、前記ハンドルを引くことによって、前記膨張可能な構成要素を展開させることができる。例えば、救命ボートの展開は、前記救命ボートの水への侵入を検出するセンサーによって、自動的に作動させることができる。あるいは、前記救命ボートの展開は、ユーザーがハンドルを引くことによって作動させることができる。前記システムの膨張を作動させる、前記装置（衝突センサー、機械的な装置、ボタン、スイッチ、ハンドル、水センサー、又は他の装置）を、本願明細書において以下、「アクティベータ（ａｃｔｉｖａｔｏｒ）」と呼ぶ。
多くの用途に関して、本願発明は、上述した従来の膨張可能なシステムよりも優れている。前記分散された装薬のインフレータは、上述した従来のシステムのような小さな密閉型のコンテナー（容器）に閉じこめられるというよりもむしろ、分散されているので、従来のシステムよりもわずかな爆発力で、ガスを発生させ、発生したガスを放出する。内部型ＤＣＩシステムは、実質的に、一様でない膨張、圧力波、及び外部に設けられたガス発生器から前記膨張可能な構成要素内に射出されたガスの慣性の影響を除去する。そのうえ、前記ＤＣＩが装備された膨張可能な拘束装置は、既存のシステムよりも、積極性において小さく展開する。というのは、前記膨張ガスのエネルギーは、事実上、展開の間、膨張可能な構造体の全体に亘って一様に分散されるからである。
また、前記ＤＣＩは、前記膨張可能な構成要素の内で内部的に分散されているので、圧力、熱及び高速度の微粒子に抗して、下記の地点において、前記膨張可能な布又は嚢体材料を補強する必要はない。前記地点では、ガスが、前記膨張可能な構成要素の外側に設けられたガス発生器から、前記膨張可能な構成要素内に激しく射出される。そのうえ、補強された充填用のチューブが必要なく、または、前記ガス発生器から前記膨張可能な構成要素に通じる固定導管を提供する他の手段が必要ない。
さらに、本願発明は、特定の用途に合わせて容易に調整することができるという効果を奏する。ほとんどの全ての種々の車両プラットフォームや種々の用途で、膨張システムの種々の特性（例えば、異なった容積の膨張ガスや異なった膨張速度（膨張率））を要求している。これらの問題は、本願発明によって、容易に取り組むことができる。というのは、簡単に言うと、装薬が、膨張可能な構成要素内に分散されているからである。例えば、より長い乗員室（すなわち、パッセンジャーコンパートメント）を備えた車両に米国特許第５，３２２，３２２号の発明を使用すると、膨張可能な構成要素の長さを増加させることが単に必要となる。これは、自動的に、膨張可能な構成要素内に分散される装薬の量を増加することになる。そのうえ、外部で膨張される通常のシステムと違って、膨張速度（膨張率）を増加させ（その結果、膨張可能な構成要素全体をちょうどよい時に膨張させ）る必要があるか否かの問題は、絶対に起きることはない。それは、本願発明によって、自動的に対処される。
【図面の簡単な説明】
図１は、本願発明の分散された装薬アセンブリの概略図である。
図１ａは、膨張可能なシステムに取り付けられた本願発明の概略図である。
図２は、オプションの補助ガス発生層を備えた、分散された装薬の概略図である。
図３は、分散された装薬のインフレータの概略図である。
図３ａは、分散された装薬及びそのシースの概略図である。
図４ａ−４ｍは、例１に説明された本願発明の実施例の概略図である。
図５は、例２に説明された、薄片状の分散された装薬を有するエアーバッグの概略図である。
図６は、例３に説明された内部でコーティング（被覆）されたエアーバッグの概略図である。
本願発明の好適な実施例の詳細な説明
図１は、分散された装薬１４、シース１７及びイニシエータ（ｉｎｉｔｉａｔｏｒ）１１を示している、分散された装薬アセンブリの概略図である。図１は、また、イニシエータ１１用のハウジング１２と、イニシエータ１１をアクティベータ（ａｃｔｉｖａｔｏｒ：例えば、衝突センサー）に電気的に接続するのに使用されるコネクターピン１８と、シール（封止材）１３と、シール（封止材）１５と、エンドキャップシール１６とを示している。これらのシールは、水分（湿気）や汚染物に対して前記アセンブリを封止する（すなわち、シールする）ことができるように機能する、Ｏリング、ガスケット、又は他の適切な形態とすることができる。ゴム、ＲＴＶ及び／又は金属のような典型的なシール材料を使用してもよい。
前記衝突センサーや他のアクティベータが、前記膨張可能な構成要素を展開させなければならないと決定したとき、前記衝突センサーや他のアクティベータは、電気信号をコネクターピン１８を介してイニシエータ１１に送信し、これによって、イニシエータ１１が点火される。そのとき、イニシエータ１１は、分散された装薬１４の爆燃（デフラグレーション）を開始し、これによって、膨張ガスが発生し、（図１ａに示された）膨張可能な構成要素３が展開する。イニシエータ１１は、自動車のエアーバッグの展開を開始するのに使用される電子式起爆管のような電子式起爆装置を備えることができ、又は、そのような電子式起爆管から構成することができる。
図１ａは、膨張可能なシステム内に取り付けられた、本願発明の分散された装薬のインフレータの概略図である。電線（ワイヤ）２に沿ってアクティベータ１から電気信号を受信することによって、点火器１１は、分散された装薬１４を点火し、また、膨張可能なシステム４の膨張可能な構成要素３を膨張させる。
図２に示されているように、オプションのガス発生層を使用して、追加の膨張ガスを供給することができる。このオプションのガス発生層（又は、オプションのガス発生コーティング（被膜））は、その配合及び形状に応じて、蒸発（気化）し及び／又は燃焼する。前記オプションの層又はコーティングは、コーティング状態の又は内部に封入された層状態の液体成分又は固体成分から構成することができる。前記オプションの層又はコーティングは、膨張ガスを生成する、種々の燃料、酸化剤、添加剤及び他の材料から構成することもできる。前記オプションの層又はコーティングは、その化学的な配合に応じて、また、前記層あるいはコーティングの成分が燃焼を支持するかどうかで、蒸発（気化）し又は燃焼する。ガス発生層又はガス発生コーティング（ガス発生被膜）は、例えば、加熱によって蒸発（気化）することができる、水、アルコール及び他の化学物質のような揮発性の化学物質を備えている。シースは、周囲環境に対するシールを提供しており、また、追加のガス発生用の材料を提供してもよい。図２は、分散された装薬２３の周囲でチューブ（管）２２に封入された層２１の使用例を図示している。そして、スペーサ−２４が、チューブ２２に対して追加の機械的な支持を供給している状態になっている。
図３は、分散された装薬アセンブリの概略図である。図３は、イニシエータ３１がそのハウジング３２に設けられている状態を示している。そして、分散された装薬３３が、エンドキャップ３６で封止されており、導線（リード線）３４が、イニシエータ３１を電気コネクター３５に接続している状態になっている。
分散された装薬は、バインダー（結合剤）を使用することによって所望の形状に形成された発火性の材料からなるモノリシックな固体ブロックとすることができる。又は、（バインダーを備えた又はバインダーなしの）発火性の材料を、周囲環境から保護するための外部シース、層又はコーティングによって、封入することができる。例えば、ベースのＤＣＩは、デカヒドロデカーボニック酸（ｄｅｃａｈｙｄｒｏｄｅｃａｂｏｒｉｃ  ａｃｉｄ）のアンモニウム塩（ａｍｍｏｎｉｕｍ  ｓａｌｔ）、グアディニウム塩（ｇｕａｄｉｎｉｕｍ  ｓａｌｔ）及び／又はトリアミノグアディニウム塩（ｔｒｉａｍｉｎｏｇｕａｄｉｎｉｕｍ  ｓａｌｔ）と、硝酸アンモニウム（ａｍｍｏｎｉｕｍ  ｎｉｔｒａｔｅ）及び／又は硝酸カリウム（ｐｏｔａｓｓｉｕｍ  ｎｉｔｒａｔｅ）のような無機酸化剤（ｉｎｏｒｇａｎｉｃ  ｏｘｉｄｉｚｅｒｓ）と、からなる混合物とすることができる。代表的な配合物（組成物）は、５ないし３０％重量のデカヒドロデカーボニック塩（ｄｅｃａｈｙｄｒｏｄｅｃａｂｏｒｉｃ  ｓａｌｔ）と、７０ないし９０％重量の硝酸塩（ｎｉｔｒａｔｅ  ｓａｌｔ）とを備えている。前記膨張可能なシステムにＤＣＩ全体を取り付ける前に、追加の材料を使用して、前記ベースＤＣＩを被覆し、前記ベースＤＣＩにテープを巻き、又は前記ベースＤＣＩをシースに入れるようにしてもよい。
図３ａは、分散された装薬を示す概略図である。分散された装薬は、１つのコア（芯）からなる点火材料３７と、オプションのガス発生層又はコーティング３８と、シース１７とを備えている。点火材料３７は、種々の硝酸塩酸化剤（ｎｉｔｒａｔｅ  ｏｘｉｄｉｚｅｒ）を備えたヒドロボラート（ｈｙｄｒｏｂｏｒａｔｅ）燃料のような、成形可能で、形成可能で、又は押し出し成形可能な、急速に爆燃する（燃焼する）発火性材料となっている。前記発火性材料としては、例えば、カリフォルニア州のホリスター市にあるＴｅｌｅｄｙｎｅ  ＭｃＣｏｒｍｉｃｋ−Ｓｅｌｐｈ会社によって製造されるＲａｐｉｄ  Ｄｅｆｌａｇｒａｔｉｎｇ  Ｃｏｒｄ（ＲＤＣ：コード状の急速爆燃材料）がある。あるいは、点火材料３７は、金属製のシース内に装填される二次的な火薬となっている。金属製のシース内に装填される二次的な火薬としては、例えば、コネティカット州のシムズベリーに所在するＥｎｓｉｇｎ  Ｂｉｃｋｆｏｒｄ  Ｃｏｍｐａｎｙによって製造される、Ｌｏｗ  Ｅｎｅｇｒｙ  Ｄｅｔｏｎａｔｉｎｇ  Ｃｏｒｄ（コード状の低エネルギー爆発材料）すなわちＬＥＤＣとしても知られているＭｉｌｄ  Ｄｅｔｏｎａｔｉｎｇ  Ｆｕｓｅ（ＭＤＦ：細工しやすい爆発材料）がある。
オプションのガス発生層又はコーティング３８用の材料は、アルカリ金属アジド（ａｌｋａｌｉ  ｍｅｔａｌ  ａｚｉｄｅｓ）及び有機アジド（ｏｒｇａｎｉｃ  ａｚｉｄｅｓ）と、コーティング用のシース又はバインダー（結合剤）として使用される金属、酸化剤及びポリマーバインダー（高分子結合剤）とを備えている。例えば、特定の用途に対する１つの可能な配合物（組成物）は、重量が２０ないし５０％のアジ化ナトリウム（ｓｏｄｉｕｍ  ａｚｉｄｅ）と、重量が２５ないし３５％の硝酸カリウム（ｐｏｔａｓｓｉｕｍ  ｎｉｔｒａｔｅ）と、重量が１０ないし１５％のフルオロエラストマー（ｆｌｕｏｒｏｅｌａｓｔｏｍｅｒ）のバインダーと、重量が１５ないし２５％のマグネシウム（ｍａｇｎｅｓｉｕｍ）とからなる混合物とすることができる。
ベースとなる分散された装薬配合物やコーティングないしラッピングに加えることができる高エネルギー推進剤及び火薬としては、ブタントリオールトリニトレート（ｂｕｔａｎｅｔｒｉｏｌ  ｔｒｉｎｉｔｒａｔｅ：ＢＴＴＮ）、ペンタエリトリトールテトラニトラート（ｐｅｎｔａｅｒｙｔｈｒｉｔｏｌ  ｔｅｔｒａｎｉｔｒａｔｅ：ＰＥＴＮ）、シクロトリメチレントリニトラミン（ｃｙｃｌｏｔｒｉｍｅｔｈｙｌｅｎｅ  ｔｒｉｎｉｔｒａｍｉｎｅ：ＲＤＸ）、シクロテトラメチレンテトラニトラマイン（ｃｙｃｌｏｔｅｔｒａｍｅｔｈｙｌｅｎｅ  ｔｅｔｒａｎｉｔｒａｍｉｎｅ：ＨＭＸ）、メトリオールトリニトレート（ｍｅｔｒｉｏｌ  ｔｒｉｎｉｔｒａｔｅ：ＭＴＮ）、トリニトロトルエン（ｔｒｉｎｉｔｒｏｔｏｌｕｅｎｅ）、ニトログリセリン（ｎｉｔｒｏｇｌｙｃｅｒｉｎｅ）、又は、無機酸化剤（ｉｎｏｒｇａｎｉｃ  ｏｘｉｄｉｚｅｒｅ）、ヘキサニトロスチルベン（ｈｅｘａｎｉｔｒｏｓｔｉｌｂｅｎｅ：ＨＮＳ）、ジビクラアミド（ｄｉｐｉｃｒａｍｉｄ：ＤＩＰＡＭ）、又は、マグネシウムのような金属を備えた、硝酸カリウム（ｐｏｔａｓｓｉｕｍ  ｎｉｔｒａｔｅ）のような無機酸化剤（ｉｎｏｒｇａｎｉｃ  ｏｘｉｄｉｚｅｒｓ）がある。
前記分散された装薬を固めるために使用することができるポリマーバインダー（ｐｏｌｙｍｅｒ  ｂｉｎｄｅｒ）には、フルオロエラストマー（ｆｌｕｏｒｏｅｌａｓｔｏｍｅｒ）、架橋ポリブタジエンゴム（ｃｒｏｓｓｌｉｎｋｅｄ  ｐｏｌｙｂｕｔａｄｉｅｎｅ  ｒｕｂｂｅｒ）、架橋ポリアクリルゴム（ｃｒｏｓｓｌｉｎｋｅｄ  ｐｏｌｙａｃｒｙｌｉｃ  ｒｕｂｂｅｒ）、架橋ポリウレタンエラストマー（ｃｒｏｓｓｌｉｎｋｅｄ  ｐｏｌｙｕｒｅｔｈａｎｅ  ｅｌａｓｔｏｍｅｒ）、ポリビニルアルコール（ｐｏｌｙｖｉｎｙｌ  ａｌｃｏｈｏｌ）／ポリ酢酸ビニル（ｐｏｌｙｖｉｎｙｌ  ａｃｅｔａｔｅ）がある。前記ＤＣＩシステムで採用可能な高エネルギーの又はガス発生ポリマーには、グリシジルニトレートポリマー（ｇｌｙｃｉｄｙｌ  ｎｉｔｒａｔｅ  ｐｏｌｙｍｅｒ）、グリシジルアジドポリマー（ｇｌｙｃｉｄｙｌ  ａｚｉｄｅ  ｐｏｌｙｍｅｒ）、ポリテトラゾール（ｐｏｌｙｔｅｔｒａｚｏｌｅｓ）、ポリトリアゾール（ｐｏｌｙｔｒｉａｚｏｌｅｓ）、ニトロセルロース（ｎｉｔｒｏｃｅｌｌｕｌｏｓｅ）、ジニトロポリスチレン（ｄｉｎｉｔｒｏｐｏｌｙｓｔｒｙｒｅｎｅ）、ニトロ化されたポリブタジエン（ｎｉｔｒａｔｅｄ  ｐｏｌｙｂｕｔａｄｉｅｎｅｓ）、ニトロ化されたポリエーテル（ｎｉｔｒａｔｅｄ  ｐｏｌｙｅｔｈｅｒｓ）がある。
前記分散された装薬を封入した、周囲環境に対して封止されたシース１７は、（好ましくは）スズ（ｔｉｎ）又は銀（ｓｉｌｖｅｒ）、アンチモン（ａｎｔｉｍｏｎｙ）又は銅（ｃｏｐｐｅｒ）のような延性の（ある）容易に押し出し成形可能な金属から構成することができ、あるいは、ポリエチレン（ｐｏｌｙｅｔｈｙｌｅｎｅ）、ポリウレタンエラストマー（ｐｏｌｙｕｒｅｔｈａｎｅ  ｅｌａｓｔｏｍｅｒ）又はフルオロエラストマー（ｆｌｕｏｒｏｅｌａｓｔｏｍｅｒ）のようなプラスチックから構成することもできる。シース１７は、高エネルギーガス発生材料を内部に封入し（または、カプセル化し）且つ保護して、一様に蒸発（気化）させ又は燃焼させることができる。シース１７は、裂けて開口しており、前記分散された装薬の点火に続いて蒸発（気化）する。本願発明の好適な実施例において、膨張したガスを膨張可能な構造体内に流入させるための通気孔や他の孔をシースに設けるべきではない。以下詳細に説明されるように、前記分散された装薬、補助推進剤、及びシースを、幅広い種々の形状及び寸法に形成して、具体的な用途に合わせることができる。
前記ＤＣＩは、膨張可能なクッション、バッグ、浮揚装置、又は他の膨張可能な構造体を展開させることができるように設計されている。前記膨張可能なクッション、バッグ、浮揚装置、又は他の膨張可能な構造体は、ポリエステル（ｐｏｌｙｅｓｔｅｒ）、ナイロン（ｎｙｌｏｎ）、アラミド（ａｒａｍｉｄ）、又は他の繊維のような布、あるいは、ポリウレタン（ｐｏｌｙｕｒｅｔｈａｎｅ）、シリコーン（ｓｉｌｉｃｏｎｅ）、又は他の材料で被覆されたそのような布から構成することができる。前記膨張可能なクッション、バッグ、浮揚装置、又は他の膨張可能な構造体は、ポリウレタンエラストマー（ｐｏｌｙｕｒｅｔｈａｎｅ  ｅｌａｓｔｏｍｅｒｓ）、シリコーンエラストマー（ｓｉｌｉｃｏｎｅ  ｅｌａｓｔｏｍｅｒｓ）、ネオプレン（ｎｅｏｐｒｅｎｅ）、又はビニルゴム（ｖｉｎｙｌ  ｒｕｂｂｅｒｓ）、から形成された嚢体、あるいは、ナイロン（ｎｙｌｏｎ）、アラミド（ａｒａｍｉｄ）、マイラー（ｍｙｌａｒ）、ポリエステル（ｐｏｌｙｅｓｔｅｒ）、又は他の薄いフィルム材料のような編んだ布に含まれるそのような嚢体材料から構成することもできる。
上述したＲＤＣやＭＤＦのような発火性材料は、幅広く利用でき、３０年あるいはそれ以上の間、幅広い種々の用途で用いられてきた。前記発火性材料は、典型的に、取り付けられた電子式の起爆管を使用することによって、点火される。前記電子式の起爆管は、多くの用途において、電子式の衝突センサーや他の電子通信装置からの信号によって作動させられる。本願発明も、前記膨張可能なシステムの展開を起動させるセンサーに連結された電子式起爆管を使用することによって、同様に作動させることができる。
前記ＤＣＩは、意図された前記システムの膨張要求に応じて、種々の寸法及び形状で製造することができる。これらは、薄片（ホイル）すなわち薄膜又は線形のすなわち管状の装薬から、切断することができ、寸法どり（すなわち、トリム）することができ、又は別な方法で嵌合させることができる、幅の広い平坦なシート状のＤＣＩ材料までの範囲にわたることができる。前記ＤＣＩ材料は、線形の形状であろうとシート形状であろうと、横断面において、円形、くさび形状、ダイヤモンド形状、「Ｌ字形状」、又は他の任意の形状とすることができる。本願発明のこの柔軟性と固有の簡易さ故に、前記ＤＣＩは、現在使用されているガス発生システムよりも、取付けが容易であり、また、安価に製造することができる。
既存の技術で現在見られるＲＤＣタイプの材料と比較して、前記ＤＣＩは、他の材料の急速な点火を単に伝搬させることに限定されるものではない。前記他の材料の燃焼により、次いで、所定の構造体を膨張させるのに必要なガス量が生成される。前記ＤＣＩシステムは、完全に自律的に作動する膨張システムとなっている。
前記ＤＣＩは、所定の膨張可能なシステム内での分散された装薬の分散パターン、種々のＤＣＩセクションが点火される速度、及び前記材料を点火するために使用される電子式起爆管の数又は位置に応じて、膨張速度を可変にし、ガス容量の全体を有効にすることができるように構成することができる。前記ＤＣＩに対して使用される材料は、可撓性があって、また、曲げやすくなっており、それによって、通常の作動状況の下で破砕したり、流れたりしないようになっている。
例
本願発明を実施するための下記の例は、本願発明を、（米国特許第５，３２２，３２２号に説明されたシステムのような）側面衝突による頭部打撃を保護するシステム、ドアに取り付けたサイドエアーバッグ、及び内部被覆型エアーバッグに適用したものをそれぞれ説明している。
例１：側面衝突による頭部打撃の保護：この例は、図４ａ−図４ｍに図示されている。図４ａに示されているように、アリゾナ州のメサに所在するＳｐｅｃｉａｌ  Ｄｅｖｉｃｅｓ会社によって提供されている自動車のエアーバッグ用のイニシエータ（ｉｎｉｔｉａｔｏｒ）として使用されるような電子式起爆管４０１が、分散された装薬４０２に嵌合されている。分散された装薬４０２は、例えば、カリフォルニア州のホリスター市に所在するＴｅｌｅｄｙｎｅ  ＭｃＣｏｒｍｉｃｋ  Ｓｅｌｐｈによって製造されているＲａｐｉｄ  Ｄｅｆｌａｇｒａｔｉｎｇ  Ｃｏｒｄ（ＲＤＣ：コード状の急速爆燃物）を変更することによって構成される。分散された装薬４０２は、電子式起爆管４０１に封止されており、これによって、水分（湿気）や他の汚染物が、装薬と電子式起爆管との間から当該アセンブリ内に入り込むのを防止することができるようになっている。図４ｂに示されているように、変更されたＲＤＣは、スズ製のシース４０３内に、１フィート当たり４ないし７個の、Ｒａｐｉｄ  Ｄｅｆｌａｇｒａｔｉｎｇ  Ｍａｔｅｒｉａｌ（ＲＤＭ：急速爆燃材料）からなる粒子４０４と、１フィート当たり７ないし１４個の、（アリゾナ州のメサに所在するＴＲＷによって製造されているアジ化ナトリウム推進剤のような）自動車のエアーバッグ用推進剤４０５とを含んでいる。ＲＤＭとアジ化ナトリウム推進剤は、図４ｃに示されるように、ローラーによりアセンブリを圧伸成形することによって、スズ製のシース４０３内で固められている。変更されたＲＤＣは、図４ｄに示されるように、スズ製のシース４０３の直径ｙ−ｙが、１／１６インチないし１／８インチに延伸させられ、また、スズ製のシース４０３の壁厚ｘ−ｘが、０．０１インチないし０．０２インチに延伸させられる。分散された装薬４０２は、その用途に合わせて適切な長さｚｚ（この場合、約３５インチ）に切断される。分散された装薬４０２の端は、図４ｅに示されるように、接着剤を使用することによって、また、注封用のコンパウンド４１０を使用して注封することによって、電子式起爆管４０１に嵌合させられる。電子式起爆管４０１や他のイニシエータは、代わりに、図４ｆに示された機械的な取付け具４１１を備えることもできる。それによって、分散された装薬４０２は、圧着、溶接、はんだ付け、又は注封によって、イニシエータ４１２に取り付けることができ、その結果、分散された装薬４０２は、水分（湿気）や他の異物から封止される。あるいは、イニシエータに前記機械的な取付け具を設ける代わりに、図４ｇに示されたように、ハウジング４１３を使用し、封止部４１５を用いることによって、分散された装薬４０２を標準のイニシエータ４１４に嵌合させることができる。
イニシエータカップ４２０が、スズ製のシース４０３に電気的にアースされており、イニシエータカップ４２０とスズ製のシース４０３は両方とも、図４ｈに示されたように、感知装置に接続された電気的な接続部分を介して、（例えば、車のシャシーに）アースされている。図４ｉに示されているように、金属製のハウジング４２１を使用して、イニシエータとスズ製のシースとの間の適切なアースを確保することもできる。前記ＤＣＩを膨張可能な構成要素の内側に置き、封止し、それによって、電子式の起爆管や他のイニシエータのピンが露出されている（露出された電線（ワイヤ）４２３を示す図４ｊを参照）。あるいは、前記ＤＣＩは、例えば、バンドクランプ（バンドクランプ４２４を示す図４ｋ参照）を使用することによって、前記膨張可能な構成要素の内側で封止することができる。
分散された装薬４０２は、図４１に示されているように、折り曲げられた膨張可能な構成要素４２５内に挿入することができる。すなわち、分散された装薬４０２は、エアーバッグ内で簡単に折り曲げることができる。分散された装薬４０２は、また、図４ｍに示されているように、チャンバ４３０やバッフル４３１に編み込まれ、又は、チャンバ４３０やバッフル４３１内に配置されている。チャンバ４３０やバッフル４３１は、通常、膨張を妨げる。というのは、チャンバ４３０やバッフル４３１は、ガスの流れに対して直角に設けられているからである。
例２：ドア（又は、シート）に取り付けられたサイドエアーバッグ：このエアーバッグシステムは、図５に示されたように、薄片状（換言すれば、薄板状）の分散された装薬を使用している。図５において、３つの薄片状の分散された装薬５１ａ、５１ｂ及び５１ｃは、エアーバッグの左側セクション、右側セクション及び中心セクションで薄片状態にされている。装薬イニシエータ５２、例えば通常の自動車の電子式起爆管は、電線（ワイヤ）５４によって、衝突センサーや他のアクティベータに接続されている。ストリップ状の装薬５３ａ、５３ｂ及び５３ｃ（例えば、ストリップ状のＲＤＭ）が、イニシエータ５２から、薄片状の分散された装薬５１ａ、５１ｂ及び５１ｃの各々に通じている。エアーバッグは、図５に示されるように、ラインａ−ａ、ｂ−ｂ及びｃ−ｃに沿って、順番に折り重ねられる。
ストリップ状のＲＤＭ５３ａ、５３ｂ及び５３ｃの燃焼速度、長さ及び燃焼特性を選択することにより、エアーバッグの連続的な展開を制御することができる。例えば、３つ全てのストリップ状の装薬が、ほぼ同じ長さを備えていた場合、ストリップ状のＲＤＭ５３ｃに最も速い燃焼速度を持たせることにより、薄片状の分散された装薬５１ｃは、最初に、エアーバッグの中心パネルを膨張させる。ストリップ状のＲＤＭ５３ｂが次に速い燃焼速度を有していた場合、それによって、薄片状の分散された装薬５１ｂが、次に、エアーバッグの右側のパネルを膨張させる。ストリップ状のＲＤＭ５３ａが最もゆっくりした燃焼速度を有していた場合、それによって、薄片状の分散された装薬５１ａは、最後に、エアーバッグの左側のパネルを膨張させる。あるいは、前記タイミングは、同じ燃焼速度を有ししかし長さの違うストリップ状の装薬を使用することによって、制御することができる。このように、同じ燃焼速度を有するストリップ状の装薬を使用する場合、ストリップ状の装薬５３ｃを最も短くし、ストリップ状の装薬５３ｂを次に最も短くし、ストリップ状の装薬５３ａを最も長くすることによって、３つの薄片状の分散された装薬は、５１ｃ、５１ｂ及び５１ａの順序で点火することになる。
図５に示された実施例に対する１つの代替例は、図５ａに示されているように、（たった１つのイニシエータを用いる代わりに）いくつかの数のイニシエータを使用することである。この場合において、エアーバッグの左側セクション、右側セクション及び中心セクションに設けられた、断片状の装薬（すなわち、セクション装薬）５１ａ、５１ｂ及び５１ｃの各々は、それぞれ、それ自身の分離し独立したイニシエータ５４ａ、５４ｂ及び５４ｃを備えている。イニシエータ５４ａ、５４ｂ及び５４ｃは、それぞれ、電線（ワイヤ）５４ａ、５４ｂ及び５４ｃに沿って電気信号を適切な順序で当該イニシエータに送ることによって、所望の順序で開始され、これによって、ストリップ状の装薬５３ａ、５３ｂ及び５３ｃの点火をそれぞれ開始することができる。また、電気信号のタイミングとストリップ状の装薬の燃焼速度との組み合わせを使用することによって、１つのイニシエータが、エアーバッグのある一定のセクションの展開を開始することができ、また、他のイニシエータが、エアーバッグの他のセクションの展開を開始することができ、これによって、エアーバッグを順序どおりに適切に膨張させることができる。そのうえ、アクティベータからの電気信号に加えて、別の電気信号（例えば、車両シートの位置を示す電気信号）が、エアーバッグの展開の順序を決定することができる。あるいは、ストリップ状の装薬の代わりに、シート状の装薬を使用することができる。このとき、シート状の装薬の寸法及び形状（ジオメトリー）は、断片状の装薬が所望の順序どおりに点火するように選択される。
他のエアーバッグや他の膨張可能な構成要素の展開も、所望の時系列で、同様に開始し且つ制御することができ、これによって、アクティベータからの信号に応答して且つ衝突速度、乗員の大きさ、又はシートや乗員の位置のような種々の入力にしたがって、正確な時間に最も有効な順番で展開する膨張可能なシステムを構成することができる。
例３：内部被覆型エアーバッグ：代替的な別の実施例の形状が図６に示されている。布製のエアーバッグ６１の内面には、ガス発生材料６３が被覆されている。そのガス発生材料６３の配合物（組成物）は、外部シースが用いられていないということを除いては、前述したＤＣＩの配合物（組成物）と同じである。ガス発生材料６３は、エアーバッグを組み立てる前あるいはエアーバッグを組み立てた後に、布製のエアーバッグ６１に加えることができる。イニシエータ１９を設けることにより、ガス発生材料６３を点火させることができる。クランプ６２により、布製のエアーバッグ６１はイニシエータ１９に封止されている。
本願発明は、当該本願発明の具体的な使用例を記述することによって説明され、また、当該本願発明の好適な実施例に関して詳細に説明された。しかしながら、本願発明の範囲は、前記具体的な実施例や本願に詳細に説明された例に限定されるものではなく、請求の範囲によってのみ定義されている。
【図１】
0003691076.tif 000002
【図１ａ】
0003691076.tif 000003
【図２】
0003691076.tif 000004
【図３】
0003691076.tif 000005
【図３ａ】
0003691076.tif 000006
【図４ａ】
0003691076.tif 000007
【図４ｂ】
0003691076.tif 000008
【図４ｃ】
0003691076.tif 000009
【図４ｄ】
0003691076.tif 000010
【図４ｅ】
0003691076.tif 000011
【図４ｆ】
0003691076.tif 000012
【図４ｇ】
0003691076.tif 000013
【図４ｈ】
0003691076.tif 000014
【図４ｉ】
0003691076.tif 000015
【図４ｊ】
0003691076.tif 000016
【図４ｋ】
0003691076.tif 000017
【図４ｌ】
0003691076.tif 000018
【図４ｍ】
0003691076.tif 000019
【図５】
0003691076.tif 000020
【図５ａ】
0003691076.tif 000021
【図６】
0003691076.tif 000022